(57)【要約】【課題】操作開始点の制約がなく、また指先に摩擦による負担をかけず、良好な微調整操作、高速多回転操作を可能とする。【解決手段】操作ダイヤル装置の内側操作つまみ１１Ａは回転軸１２に装着され、前面を操作面として微調整操作と高速多回転操作の双方に対応する。その操作面の外周縁部に一定の高さの突状部１３を形成し、その内側壁面に、前面の他の部分より粗面となるように、連続に凹凸を形成してロレット状とし、他の部分を滑らかな面とする。また、上記操作面に、突状部１３の内側に外周方向に向かって窪むように傾斜する溝部１４を形成し、溝部１４が外周方向に指先を案内し、自然と指が突状部１３の内側壁面に圧接するようにする。突状部１３の内側壁面を他の面より粗面としたので、指先の腹が突状部の内壁面に順に当接してひっかかりながら回転するため、指先全体に摩擦が生じることはない。また、どの位置からでも操作開始が可能となる。【選択図】      図１
2010123352.tif 000002
【特許請求の範囲】
【請求項１】
回転軸に装着され、前面を操作面として微調整操作と高速多回転操作の双方に対応する操作ダイヤル装置において、
前記操作面の外周縁部に一定の高さの突状部を形成し、少なくとも前記突状部の内壁面を他の前面より粗面としたことを特徴とする操作ダイヤル装置。
【請求項２】
前記突状部の内壁面は、連続に凹凸を形成してロレット状とすることで粗面としたことを特徴とする請求項１記載の操作ダイヤル装置。
【請求項３】
前記突状部の内壁面に、前記粗面となる材質の部材を装着するようにしたことを特徴とする請求項１記載の操作ダイヤル装置。
【請求項４】
前記突状部の内側に、操作者の指が当接したとき、その指が前記突状部の内壁面に向けて案内するように、前記突状部の内側全体に溝部を形成してなることを特徴とする請求項１記載の操作ダイヤル装置。
【発明の詳細な説明】
【技術分野】
【０００１】
本発明は、回転軸に装着され、前面を操作面として微調整操作と高速多回転操作の双方に対応する操作ダイヤル装置に関する。
【背景技術】
【０００２】
従来のジョグダイヤル等の操作ダイヤル装置では、例えば図４に示すように、ダイヤル１の操作面（前面）の一部に凹部２を形成し、操作者がその凹部２に指先を押当接させながら微調整操作したり高速多回転操作したりしている。また、操作面に指先の滑り防止としてゴム等の摩擦の大きい部材を装着したものもある。
【０００３】
しかしながら、凹部を形成したものでは、操作開始点がその凹部形成部分に限定されてしまうので、微調整操作の際に操作し難い場合があった。また、滑り防止のための部材を操作面に装着したものでは、確かに滑りがなくなって初期回転動作が非常に楽になるが、常に指先に摩擦が生じるため、長時間に渡って操作していると、指先が摩耗してしまい、操作者に苦痛を与えてしまう。
【０００４】
尚、この種の従来例として、例えば特許文献１に示すような構造を持つことで多機能化を実現したものがあって、特に操作面に工夫を懲らしたものではない。
【特許文献１】特開２００４−１１１２１４号公報
【発明の開示】
【発明が解決しようとする課題】
【０００５】
以上述べたように、従来の操作ダイヤル装置では、操作開始点の制約を受けるという問題がある。また、滑り防止のための部材により常に指先に摩擦が生じるため、長時間に渡って操作していると、指先が摩耗してしまい、操作者に苦痛を与えてしまう。
【０００６】
本発明は、上記の課題に鑑みてなされたもので、操作開始点の制約を受けることなく、また指先に摩擦による負担をかけることなく、微調整操作、高速多回転操作の双方について良好な操作が可能な操作ダイヤル装置を提供することを目的とする。
【課題を解決するための手段】
【０００７】
上記課題を解決するため、本発明は、以下のように構成される。
【０００８】
（１）回転軸に装着され、前面を操作面として微調整操作と高速多回転操作の双方に対応する操作ダイヤル装置において、前記操作面の外周縁部に一定の高さの突状部を形成し、少なくとも前記突状部の内壁面を他の前面より粗面としたことを特徴とする。
【０００９】
（２）（１）の構成において、前記突状部の内壁面は、連続に凹凸を形成してロレット状とすることで粗面としたことを特徴とする。
【００１０】
（３）（１）の構成において、前記突状部の内壁面に、前記粗面となる材質の部材を装着するようにしたことを特徴とする請求項１記載の操作ダイヤル装置。
【００１１】
（４）（１）の構成において、前記突状部の内側に、操作者の指が当接したとき、その指が前記突状部の内壁面に向けて案内するように、前記突状部の内側全体に溝部を形成してなることを特徴とする。
【発明の効果】
【００１２】
本発明によれば、操作面の外周縁部に一定の高さの突状部を形成し、突状部の内壁面を他の前面より粗面としたので、指先の腹が突状部の内壁面に順に当接してひっかかりながら回転するため、指先全体に摩擦が生じることはない。また、どの位置からでも操作開始が可能となる。したがって、操作開始点の制約を受けることなく、また指先に摩擦による負担をかけることなく、微調整操作、高速多回転操作の双方について良好に操作可能な操作ダイヤル装置を提供することができる。
【発明を実施するための最良の形態】
【００１３】
以下、本発明の実施の形態について図面を参照して説明する。
【００１４】
図１は本発明に係る操作ダイヤル装置の一実施形態の構成を示す斜視図、図２は図１に操作ダイヤル装置のＡ−Ａ線断面図である。図１及び図２に示す操作ダイヤル装置は、内側操作つまみ１１Ａと外側操作つまみ１１Ｂを備えるジョグダイヤルであり、電子機器のシャーシ（図示せず）に設けられる回転軸１２に装着され、同一軸上で内側操作つまみ１１Ａのダイヤル操作による回転を減速して外側操作つまみ１１Ｂの回転に伝える減速機構を有する。
【００１５】
内側操作つまみ１１Ａは、前面を操作面として微調整操作と高速多回転操作の双方に対応するもので、その操作面（前面）には、外周縁部に一定の高さの突状部１３が形成される。この突状部１３の内側壁面と外側壁面には、それぞれ前面の他の部分より粗面とするため、連続に凹凸を形成してロレット状とし、他の部分は摩擦が極力生じない滑らかな面とする。
【００１６】
上記操作面は、突状部１３以外を平坦のままにしてもよいが、突状部１３の内側に外周方向に向かって窪むように傾斜する溝部１４を形成する。これにより、操作者が指を突状部１３の内側壁面に触れたとき、溝部１４が外周方向に指先を案内するため、自然と指が突状部１３の内側壁面に圧接するようになる。  尚、外側操作つまみ１１Ｂについては、本発明に関係する部分はないので、その具体的な説明は省略し、以下の説明では内側操作つまみ１１Ａを単に操作つまみと称する。また、突状部１３の外側壁面に凹凸を形成して粗面とすることは任意である。
【００１７】
図３は、上記構造による操作つまみ１１Ａの操作に関する特徴を概略的に説明するための図であり、図３（ａ）は指先を仮想の小歯車１５に置き換えて考えた場合の概念構成図、図３（ｂ）は指先が歯車と同様に機能する様子を示す概念構成図である。
【００１８】
まず、図３（ａ）において、操作つまみ１１Ａの突状部１３の内側壁面に形成したロレット状の凹凸が歯車として機能するものとし、内側に小径歯車１５を図中矢印で示すように噛み合わせて回転固定の状態で回転させ、これによって操作つまみ１１Ａ全体を回転させたとする。このとき、両者の歯は互いに噛み合って滑らない。このため、摩擦は生じない。尚、操作つまみ１１Ａの回転角度は小径歯車の歯数と操作つまみ１１Ａ側の歯数との比で決定されるため、小径歯車１５を１回転させたとしても操作つまみ１１Ａが１回転するとは限らない。
【００１９】
一方、図３（ｂ）に示すように、指先を上記突状部１３の内側壁面に当接させると、指先の当接面が変形して小径歯車の一部が噛み合ったことと同じことになる。図に示すように、指が操作つまみ１１Ａの上部にあるときは指先の上部が内側壁面に触れ（Ａ）、指が操作つまみ１１Ａの右側にあるときは指先の右側が内壁面に触れ（Ｂ）、指が操作つまみ１１Ａの下側にあるときは指先の下側が内壁面に触れ（Ｃ）、指が操作つまみ１１Ａの左側にあるときは指先の左側が内壁面に触れる（Ｄ）ことになる。このように、操作面と触れる指先の腹面は内側壁面の凹凸面に馴染んで凹凸に変形して噛み合うため滑らない。この状態で指先を同一方向に向けたまま操作つまみ１１Ａ１１を回転させると、指先の変形する軌跡は小さな円周上を動き、指先が図３（ａ）に示した小径歯車と同じ働きをする。このため、噛み合って動作するので滑りによる摩擦は生じない。
【００２０】
言い換えると、ダイヤル回転に伴い操作つまみ１１Ａに当接する指先の位置は移って行くので、従来の様に指先の腹の部分が常に粗面（内側壁面）に触れ続けることが無く、触れているのが滑らかな面であるので、摩擦はほとんど生じない。
【００２１】
したがって、上記構造による操作ダイヤル装置によれば、ダイヤル操作に伴う摩擦による指先の摩耗が発生しないため、操作者に対する負担を軽減することができる。また、指先が突状部の凹凸と噛み合うようにして回転させるため、滑ることなく容易に回転させることが可能となる。さらに、操作つまみ全体の径を小型にしても、外周縁部に形成される突状部の内側壁面にガイドできるので、回転トルクが低減し、操作性が向上する。特に装置ダイヤル装置が小型になればなるほどその改善効果は大きくなる。
【００２２】
尚、上記実施形態では、突状部の内側壁面に凹凸を連続的に形成してロレット状とすることで粗面を形成するようにしたが、本発明はこれに限定されるものではなく、単に多数の凸部を形成する等、その粗面の形成はどのような形状でもよい。また、ゴム等の粗面となる材質の部材を装着するようにしてもよい。また、突状部の外側壁面に凹凸を形成して粗面とすれば、内側壁面と同様に、指先を外側壁面に押しつけながらダイヤル操作することで、摩擦による弊害を受けずに済むようになる。
【００２３】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２４】
【図１】本発明に係る操作ダイヤル装置の一実施形態の構成を示す斜視図。
【図２】図１に操作ダイヤル装置のＡ−Ａ線断面図。
【図３】図１に示す構造による操作つまみの操作に関する特徴を概略的に説明するための図。
【図４】従来の操作ダイヤル装置の一例を示す概念図。
【符号の説明】
【００２５】
１１Ａ…内側操作つまみ、１１Ｂ…外側操作つまみ、１２…回転軸、１３…突状部、１４…溝部、１５…仮想の小歯車。
【図１】
2010123352.tif 000003
【図２】
2010123352.tif 000004
【図３】
2010123352.tif 000005
【図４】
2010123352.tif 000006